(57)【特許請求の範囲】
【請求項１】
スロット本体と、払い出されたメダルを貯留可能な受け皿部を備えたスロット機であって、
前記受け皿部は、スロット本体に固定された本体部と、本体部に対して水平方向に近接又は離反可能な可動部とを有し、
本体部と、可動部とによって、メダルを貯留する貯留空間が形成されており、
可動部は、弾性変形可能な変形部を有しており、
当該変形部は、スロット本体と対向する位置に配されており、
前記可動部は、スロット本体と対向し且つ前記変形部を備えた前壁部と、底部を有し、
前記前壁部は、前記底部に対して立設されるものであり、
前記前壁部の変形部は、前記貯留空間の一部を形成し、前記前壁部の上下方向の全体に亘って延びており、
メダルを前記変形部に当てて、すくい上げることによって、前記変形部が前記貯留空間の一部を形成した状態で弾性変形してメダル導入路を形成することを特徴とするスロット機。
【請求項２】
本体部又は可動部は、可動部の移動方向に沿って延びたガイド部を有しており、
本体部に対する可動部の相対的な移動を規制する軸部材を有しており、
ガイド部に軸部材が挿着されており、
本体部は、スロット本体の固定部を基端として張り出し、当該張り出し側の端部が開放した中空部材であり、
可動部は、スロット本体と対向し、且つ変形部を備えた前壁部と、当該前壁部に対して交差する方向に延びた側壁部とを有し、本体部の前記開放側端部から本体部に挿入されるものであり、
本体部に挿入された可動部は、ガイド部によって、本体部から逸脱しない範囲内で移動することを特徴とすることを特徴とする請求項１に記載のスロット機。
【請求項３】
本体部と可動部の間へのメダルの進入を防止する進入防止部材を有し、
当該進入防止部材は、本体部と可動部に亘って配されており、
前記本体部は、接続底を有し、
前記接続底の上面は、前記可動部の底部の上面よりも高い位置にあり、
前記進入防止部材は、接続部と、傾斜部を有し、
前記接続部は、前記接続底の上面と接続されており、
前記傾斜部は、本体部側から可動部側に向かって、前記接続部に対して下方向に傾斜していることを特徴とする請求項１又は２に記載のスロット機。
【請求項４】
スロット本体と、払い出されたメダルを貯留可能な受け皿部を備えたスロット機であって、
前記受け皿部は、スロット本体に固定された本体部と、本体部に対して水平方向に近接又は離反可能な可動部とを有し、
本体部と、可動部とによって、メダルを貯留する貯留空間が形成されており、
可動部は、弾性変形可能な変形部を有しており、
当該変形部は、スロット本体と対向する位置に配されており、
前記可動部は、スロット本体と対向し且つ前記変形部を備えた前壁部と、底部を有し、
前記前壁部は、前記底部に対して接続されて立設されるものであり、
前記前壁部の変形部は、前記貯留空間の一部を形成し、前記底部との接続部分から前記前壁部の立設方向に延びており、
メダルを前記変形部に当てて、すくい上げることによって、前記変形部が前記貯留空間の一部を形成した状態で弾性変形してメダル導入路を形成することを特徴とするスロット機。
【発明の詳細な説明】
【技術分野】
【０００１】
本発明は、メダル等の遊技媒体を貯留可能な受け皿部を備えたスロット機に関するものである。
【背景技術】
【０００２】
遊技機として一般的に知られているものに、例えば、パチンコ機やスロット機がある。特にスロット機は、遊技媒体としてメダルを使用して遊技するものである。このスロット機においては、遊技中にスロット機の遊技面の柄が揃い、大当たりに当選するなどの所定条件が成立することによって、所定枚数のメダルがスロット機から遊技者に対して払い出される。また、スロット機から払い出されたメダルは、スロット機に備えられた受け皿（所謂、下皿）に導入される（例えば、特許文献１）。そして、当該受け皿から溢れたメダルは、遊技者の手によって掻き出され、受け皿から所定の貯留箱（所謂、ドル箱）に移動される。その後、その貯留箱は、遊技者が遊技を終了するまで遊技場の床等に置かれる。
【先行技術文献】
【特許文献】
【０００３】
【特許文献１】特開２００９−２１３７９４号公報
【発明の概要】
【発明が解決しようとする課題】
【０００４】
ところで、大当たりに当選すると、受け皿が多量のメダルで満たされる。メダルが受け皿の貯留容量の限度近くまで満たされると、メダルは受け皿に隙間無く満たされた状態となる。即ち、受け皿から貯留箱に手動で移動させる際に、指の入る隙間が無く、強引に受け皿からすくい上げる必要があり、非常に移しにくいという不具合があった。また、受け皿内のメダルは、ランダムに配されており、メダル同士が重なった部分が生じる。即ち、強引に受け皿からすくい上げると、メダル同士が重なった部位が、メダル間で相対的に滑ることがある。そして、このメダル間の滑りによって、メダルがランダムに広がり、手の隙間からメダルがなだれ落ちるおそれがあった。場合によっては、遊技者の手から貯留箱に導入する際に、その一部のメダルが貯留箱に導入されず、遊技場の床面にこぼれ落ちる不具合が発生する。
【０００５】
また、熟練者は、受け皿の側壁を利用してメダルを移動させることが多い。即ち、貯留箱を受け皿の側壁に近づけ、受け皿の側壁に沿ってメダルをスライドさせすくい上げ、貯留箱に移動させる。この場合、受け皿の底壁に対して、受け皿の側壁はほぼ直交しているため、受け皿から貯留箱に移す際に、床面にこぼれ落ちる虞があった。
【０００６】
そこで、本発明は上記課題を解決すべくなされたもので、貯留箱へのメダルの移し替えが容易な受け皿部を備えたスロット機を提供することを目的とする。
【課題を解決するための手段】
【０００７】
上記した課題を解決するための請求項１に記載の発明は、スロット本体と、払い出されたメダルを貯留可能な受け皿部を備えたスロット機であって、前記受け皿部は、スロット本体に固定された本体部と、本体部に対して水平方向に近接又は離反可能な可動部とを有し、本体部と、可動部とによって、メダルを貯留する貯留空間が形成されており、可動部は、弾性変形可能な変形部を有しており、当該変形部は、スロット本体と対向する位置に配されており、前記可動部は、スロット本体と対向し且つ前記変形部を備えた前壁部と、底部を有し、前記前壁部は、前記底部に対して立設されるものであり、前記前壁部の変形部は、前記貯留空間の一部を形成し、前記前壁部の上下方向の全体に亘って延びており、メダルを前記変形部に当てて、すくい上げることによって、前記変形部が前記貯留空間の一部を形成した状態で弾性変形してメダル導入路を形成することを特徴とするスロット機である。
すなわち、本発明は、スロット本体と、払い出されたメダルを貯留可能な受け皿部を備えたスロット機であって、前記受け皿部は、スロット本体に固定された本体部と、本体部に対して水平方向に近接又は離反可能な可動部とを有し、本体部と、可動部とによって、メダルを貯留する貯留空間が形成されており、可動部は、弾性変形可能な変形部を有しており、当該変形部は、スロット本体と対向する位置に配されている。
【０００８】
かかる構成によれば、前記受け皿部は、スロット本体に固定された本体部と、本体部に対して水平方向に近接又は離反可能な可動部とを有している。即ち、可動部は、本体部に対して水平方向に近接又は離反可能となっており、受け皿部から貯留箱に移す際に、遊技者側に可動部を引き出すことが可能である。それ故に、より遊技者の近い位置でメダルの入れ替えが容易である。それ故に、例え、女性等の小柄の遊技者であっても、貯留箱の内部の状況が見えやすく、体勢を崩すことなく、貯留空間から貯留箱に移し替えることが可能である。
また、例えばメダルが受け皿部の貯留容量の限度近くまで満たされた際に、可動部を本体部に対して水平方向に離反させることによって、積み上げられたメダルが、なだれ落ちる。それに伴い、密集していたメダル間に指先が入るスペースが形成される。即ち、強引にメダルをすくい上げる必要がなく、メダルを貯留箱に移動させ易い。
【０００９】
ところで、従来のスロット機では、平均的な男性の体格に合わせて、受け皿部の位置が設定されているため、大柄の遊技者が貯留空間に手を入れ、メダルを取り出す場合、メダルを取り出す際に貯留空間の上方に位置するスロット本体の一部と接触し、取り出しにくいという不具合があった。
そこで、本発明の受け皿部は、スロット本体に固定された本体部と、本体部に対して水平方向に近接又は離反可能な可動部とを設けている。そのため、メダル取り出し時に、可動部を本体部に対して水平方向に離反する位置にすることによって、従来のスロット機に比べて貯留空間の開口面積を大きくすることが可能である。即ち、従来のスロット機に比べて、貯留空間の上方に位置するスロット本体の一部と接触しにくく、メダルを取り出しやすい。
【００１０】
また、本発明において可動部は、さらに弾性変形可能な変形部を有しており、当該変形部は、スロット本体と対向する位置に配されている。即ち、メダルを貯留空間から貯留箱に移し替える際に、メダルを変形部に当てて、すくい上げることによって、変形部が弾性変形し、ケトルのようなメダル導入路が形成される。それ故に、メダルがこぼれ落ちることなく、貯留箱に移し替えることが可能である。
【００１１】
請求項２に記載の発明は、本体部又は可動部は、可動部の移動方向に沿って延びたガイド部を有しており、本体部に対する可動部の相対的な移動を規制する軸部材を有しており、ガイド部に軸部材が挿着されており、本体部は、スロット本体の固定部を基端として張り出し、当該張り出し側の端部が開放した中空部材であり、可動部は、スロット本体と対向し、且つ変形部を備えた前壁部と、当該前壁部に対して交差する方向に延びた側壁部とを有し、本体部の前記開放側端部から本体部に挿入されるものであり、本体部に挿入された可動部は、ガイド部によって、本体部から逸脱しない範囲内で移動することを特徴とすることを特徴とする請求項１に記載のスロット機である。
すなわち、本発明は、本体部又は可動部は、可動部の移動方向に沿って延びたガイド部を有しており、本体部に対する可動部の相対的な移動を規制する軸部材を有しており、ガイド部に軸部材が挿着されている。
【００１２】
かかる構成によれば、本体部に対する可動部の相対的な移動を規制する軸部材を有しており、ガイド部に軸部材が挿着されているため、可動部の移動を規制することが容易である。
【００１３】
請求項２に記載の発明は、本体部は、スロット本体の固定部を基端として張り出し、当該張り出し側の端部が開放した中空部材であり、可動部は、スロット本体と対向し、且つ変形部を備えた前壁部と、当該前壁部に対して交差する方向に延びた側壁部とを有し、本体部の前記開放側端部から本体部に挿入されるものであり、本体部に挿入された可動部は、ガイド部によって、本体部から逸脱しない範囲内で移動する。
【００１４】
かかる構成によれば、可動部は、スロット本体と対向し変形部を備えた前壁部と、当該前壁部に対して交差する方向に延びた側壁部とを有し、本体部の前記開放側端部から本体部に挿入されるものであるため、可動部が張り出し方向以外の方向への移動を規制できる。即ち、可動部を本体部に対して水平方向に近接又は離反する際に、力の伝達がよく、可動部が移動しやすい。
【００１５】
請求項３に記載の発明は、本体部と可動部の間へのメダルの進入を防止する進入防止部材を有し、当該進入防止部材は、本体部と可動部に亘って配されており、前記本体部は、接続底を有し、前記接続底の上面は、前記可動部の底部の上面よりも高い位置にあり、前記進入防止部材は、接続部と、傾斜部を有し、前記接続部は、前記接続底の上面と接続されており、前記傾斜部は、本体部側から可動部側に向かって、前記接続部に対して下方向に傾斜していることを特徴とする請求項１又は２に記載のスロット機である。
すなわち、本体部と可動部の間へのメダルの進入を防止する進入防止部材を有し、当該進入防止部材は、本体部と可動部に亘って配されている。
【００１６】
かかる構成によれば、例えば、可動部の移動をスムーズにするために本体部と可動部の間に隙間を形成した場合であっても、進入防止部材を有するため、当該隙間内にメダルが進入することを防止することが可能である。
請求項４に記載の発明は、スロット本体と、払い出されたメダルを貯留可能な受け皿部を備えたスロット機であって、前記受け皿部は、スロット本体に固定された本体部と、本体部に対して水平方向に近接又は離反可能な可動部とを有し、本体部と、可動部とによって、メダルを貯留する貯留空間が形成されており、可動部は、弾性変形可能な変形部を有しており、当該変形部は、スロット本体と対向する位置に配されており、前記可動部は、スロット本体と対向し且つ前記変形部を備えた前壁部と、底部を有し、前記前壁部は、前記底部に対して接続されて立設されるものであり、前記前壁部の変形部は、前記貯留空間の一部を形成し、前記底部との接続部分から前記前壁部の立設方向に延びており、メダルを前記変形部に当てて、すくい上げることによって、前記変形部が前記貯留空間の一部を形成した状態で弾性変形してメダル導入路を形成することを特徴とするスロット機である。
【発明の効果】
【００１７】
本発明の構成によれば、前記受け皿部は、スロット本体に固定された本体部と、本体部に対して水平方向に近接又は離反可能な可動部とを有している。即ち、可動部は、本体部に対して水平方向に近接又は離反可能となっており、受け皿部から貯留箱に移す際に、遊技者側に可動部を引き出すことが可能である。それ故に、より遊技者の近い位置でメダルの入れ替えが容易である。それ故に、例え、女性等の小柄の遊技者であっても、貯留箱の内部の状況が見えやすく、体勢を崩すことなく、貯留空間から貯留箱に移し替えることが可能である。
また、例えばメダルが受け皿部の貯留容量の限度近くまで満たされた際に、可動部を本体部に対して水平方向に離反させることによって、積み上げられたメダルが、なだれ落ちる。それに伴い、密集していたメダル間に指先が入るスペースが形成される。強引にメダルをすくい上げる必要がなく、メダルを貯留箱に移動させ易い。
【図面の簡単な説明】
【００１８】
【図１】遊技場の状況を示す説明図である。
【図２】スロット機で遊技する状況を示す説明図である。
【図３】本発明の第１実施形態にかかるスロット機の斜視図である。
【図４】図３の要部の分解斜視図である。
【図５】図４の可動部を別方向から見た斜視図である。
【図６】図５の可動部を裏側から見た斜視図である。
【図７】図３の要部のＡ−Ａ拡大断面図である。
【図８】図４の軸部材の拡大斜視図である。
【図９】図３の受け皿部の各姿勢における説明図であり、（ａ）貯留姿勢における受け皿部を表すＡ−Ａ断面図、（ｂ）引き出し姿勢における受け皿部を表すＡ−Ａ断面図、（ｃ）折り曲げ姿勢における受け皿部を表すＡ−Ａ断面図である。
【図１０】図９（ａ）の貯留姿勢における要部の斜視図である。
【図１１】図９（ｂ）の引き出し姿勢における要部の斜視図である。
【図１２】図９（ｃ）の折り曲げ姿勢における要部の拡大斜視図である。
【図１３】図９（ａ）〜（ｃ）の受け皿部の各姿勢におけるメダルを貯留した際の説明図である。
【図１４】本発明の変形例の要部の拡大斜視図である。
【図１５】本発明の変形例の要部の拡大断面図である。
【発明を実施するための形態】
【００１９】
以下、本発明の実施形態について詳細に説明する。
なお、以下の説明において、特に断りがない限り、上下左右の位置関係は、図３の通常の設置位置（以下、貯留姿勢ともいう）を基準に説明する。
【００２０】
本実施形態のスロット機１００は、主に遊技場内に設置されるものである。本実施形態のスロット機１００の構成に先立って、遊技場の構造について説明する。
遊技場には、主に複数のスロット機１００を１つの群とした所謂遊技島１５１が複数配されている。そこで、以下の説明においては、理解を容易にするために、１つの遊技島１５１（スロット機群）に注目して説明する。
【００２１】
即ち、図１に示すように、遊技島１５１においては、所定台数分（図１では５台分）の遊技機取り付け部１５２が設けられており、その各遊技機取り付け部１５２に１台ずつスロット機１００が設置されている。具体的には、遊技島１５１においては、所定の台数のスロット機１００が２列（図１の正面側に１列、後面側に１列）に配され、各列にスロット機１００が並設されている。そして、各スロット機１００に対向する位置に遊技者が着座可能な椅子が１脚ずつ配置されている（図１、図２）。
【００２２】
本発明のスロット機１００は、図３のようにスロット本体１１０と、本発明の特徴たる受け皿部１とを有しており、当該受け皿部１から所定の貯留箱に移し替えられる際に顕著な効果を有する。以下、本発明の特徴たる受け皿部１に先立ち、スロット本体１１０の構成について説明する。
【００２３】
スロット本体１１０は、図３のように複数のリール部１０１と、ＢＥＴボタン１０２と、スタートレバー１０３と、複数のストップボタン１０５と、メダル投入口１０６と、メダル払い出し口１０７と、精算ボタン１０８とを有している。
【００２４】
スロット機１００の一連の動作について簡潔に説明する。スロット機１００は、上述したように、遊技媒体（メダル）を使用して遊技する。図示しない台間遊技媒体貸し機（所謂サンド）にお金を挿入するか、メダル投入口１０６にメダルを投入することで、金額又はメダルに対応するクレジットが貯留される。次に、ＢＥＴボタン１０２を押し、スタートレバー１０３を操作すると、複数のリール部１０１が回転する。そして、遊技者が、停止したいリール部１０１に対応するストップボタン１０５を、所望のタイミングでそれぞれ押していき、リール部１０１を停止させていく。そして、停止したリール部１０１の絵柄が揃うなど所定の条件を満たすと、「当たり」となる。なお、所定の時間が経過すると、リール部１０１は自動で停止する。
また、所定の枚数（例えば５０枚）のクレジットが貯まると、所定の枚数を超えた分のメダルがメダル払い出し口１０７から払い出され、メダルが受け皿部１に導入される。メダルが受け皿部１の容量を超えると、遊技者の手ですくい上げ、受け皿部１から所定の貯留箱に移動される。そして、その貯留箱は、遊技者が遊技を終了するまで遊技場の床等に並べられる。
また、遊技終了時に、精算ボタン１０８を押し、メダル払い出し口１０７から貯留されたクレジット分のメダルが払い出され、メダルが受け皿部１に導入される。
【００２５】
本発明のスロット機１００は、上述したように受け皿部１に特徴を有する。
受け皿部１は、図４のように本体部２と、可動部３と、進入防止部材５と、軸部材２２を有している。そして、受け皿部１は、図３のようにスロット本体１１０の下部に位置するスロット壁部１６と、本体部２と、可動部３と、によって囲まれた貯留空間４を有している。貯留空間４は、従来と同様、メダル払い出し口１０７から払い出されたメダルを貯留可能な空間である。
そして、貯留空間４は、本体部２と可動部３によって形成された開口１３を有している。開口１３は、遊技者がメダルを移動する際に手を挿入可能な開口である。
また、貯留空間４の上方には、スロット本体１１０の前面にパネル部１１２が配されている。このパネル部１１２は、スロット機１００の機種名等の所定の情報が記載されたパネルである。
【００２６】
以下、受け皿部１の各構成部材について説明する。なお、特に断りの無い限り、貯留空間４側を内側として説明する。
まず、本体部２の構成について説明する。
本体部２は、図４のようにスロット壁部１６に前方に張り出すように立設されており、スロット本体１１０と一体となっている。本体部２は、スロット本体１１０のスロット壁部１６の接続部から前方に張り出している。そして、本体部２は、当該張り出し方向（図４のＺ方向の前方側）の先端部が開放した中空構造を有している。
本体部２は、接続底１０と、接続底１０の端部から水平方向に対して直交する方向（図４のＹ方向）に立設した接続壁６とによって形成されている。
【００２７】
接続壁６は、図４のように幅方向（図４のＸ方向）両側に内壁部７ａ，７ｂと、内壁部７ａ，７ｂの外側（貯留空間４と対向する側）に内壁部７ａ，７ｂに対してほぼ平行な外壁部８ａ，８ｂと、内壁部７ａ，７ｂと内壁部７ａ，７ｂの上端面をそれぞれ接続する上壁部１５ａ，１５ｂとによって形成されている。
内壁部７ａ，７ｂと外壁部８ａ，８ｂは、それぞれ所定の間隔を空けてスロット本体１１０のスロット壁部１６に立設されている。具体的には、内壁部７ａと外壁部８ａは、可動部３の挿入側面部３８ａを挿入可能な空間１７ａを空けて配されている。同様に内壁部７ｂと外壁部８ｂは、可動部３の挿入側面部３８ｂを挿入可能な空間１７ｂを空けて配されている。
【００２８】
接続底１０は、図４のように内底部１１と、内底部１１の外側に内底部１１に対して上下方向（図４のＺ方向）にほぼ平行な外底部１２とによって形成されている。内底部１１と外底部１２は、可動部３の挿入底部３６を挿入可能な空間１８を空けてスロット本体１１０のスロット壁部１６に立設されている。
そして、接続壁６と接続底１０は連続している。即ち、内壁部７ａから反時計回りに、内壁部７ａと上壁部１５ａ、上壁部１５ａと外壁部８ａ、外壁部８ａと外底部１２、外底部１２と外壁部８ｂ、外壁部８ｂと上壁部１５ｂ、上壁部１５ｂと内壁部７ｂ、内壁部７ｂと内底部１１、内底部１１と内壁部７ａがそれぞれ連続している。また、空間１７ａ，１７ｂ，１８は連続しており、１つの挿入空間２０を形成している。即ち、本体部２は、挿入空間２０は、正面視で「コ」字状となっており、当該挿入空間２０には、可動部３の挿入領域２５が挿入可能となっている。言い換えると、本体部２は、正面視で「コ」字状の溝を有している。
【００２９】
また、外壁部８ａ，８ｂには、外壁部８ａ，８ｂを厚み方向（図４のＸ方向）に貫通した長孔２１（ガイド部）を有している。長孔２１の長径は、張り出し方向（図４のＺ方向）を向いている。長孔の短径は、軸部材２２の頭部２３の外径とほぼ同じか、やや大きい。
以上が、本体部２の構成の説明である。
【００３０】
続いて、可動部３の構成について説明する。
可動部３は、貯留姿勢において、図４、５のように挿入空間２０に挿入される挿入領域２５と、挿入空間２０の外側に位置する皿領域２６とを有している。可動部３は、底部３０と、側面部３１ａ，３１ｂと、変形部３２を有した前壁部２８とを有している。
【００３１】
底部３０は、挿入領域２５に属する挿入底部３６と、皿領域２６に属する皿底部３７とを有している。そして、挿入底部３６の上面と、皿底部３７の上面は、同一平面上に面一となっている。一方、挿入底部３６の下面と、皿底部３７の下面は、図６のように底壁部３３を介して段状に連続している。底壁部３３の上下方向の長さは、本体部２の外底部１２（図４参照）の厚みとほぼ等しい。
【００３２】
側面部３１ａ，３１ｂは、図５のように挿入領域２５に属する挿入側面部３８ａ，３８ｂと、皿領域２６に属する皿側面部３９ａ，３９ｂと、を有している。
挿入側面部３８ａ，３８ｂの上面と、皿側面部３９ａ，３９ｂの上面は、壁部４０ａを介して段状に連続している。壁部４０ａの上下方向の長さは、本体部２の上壁部１５ａ，１５ｂの張り出し側端部の厚みにほぼ等しい。
挿入側面部３８ａ，３８ｂの外側側面と、皿側面部３９ａ，３９ｂの外側側面は、図５、６のように壁部４０ｂを介して段状に連続している。壁部４０ｂの幅方向（図４のＸ方向）の長さは、本体部２の外壁部８ａ，８ｂの張り出し側端部の厚みにほぼ等しい。同様に、挿入側面部３８ａ，３８ｂの内側側面と、皿側面部３９ａ，３９ｂの内側側面は、壁部４０ｃを介して段状に連続している。壁部４０ｃの幅方向（図４のＸ方向）の長さは、内壁部７ａ，７ｂの張り出し側端部の厚みにほぼ等しい。
即ち、可動部３は、側面視すると、略「凸」字状となっており、側面部３１ａ，３１ｂは、平面視すると、略「凸」字状となっている。
【００３３】
また、可動部３は、図４、５のように側面部３１ａ，３１ｂの外側側面に固定穴３５を有している。固定穴３５は有底穴となっている。固定穴３５は、軸部材２２の軸部２４が係合可能となっている。
皿側面部３９ａ，３９ｂの張り出し方向端部（挿入側面部３８ａ，３８ｂと対向側）は、前壁部２８を固定可能な変形固定部４１を有している。
【００３４】
前壁部２８は、図５のように変形部３２を有しており、本実施形態では前壁部２８の全体が変形部３２となっている。
変形部３２は、正面視すると略長方形状の板材であり、可撓性を有した材料によって形成されている。好ましくは、弾性を有した材料である。当該材料としては、例えば、天然ゴムや、スチレンゴム、ブタジエンゴム、ウレタンゴム等が採用できる。
そして、変形固定部４１と前壁部２８は、接続されている。
以上が可動部３の各構成の説明である。
【００３５】
続いて、進入防止部材５の構成について説明する。
進入防止部材５は、一枚の板材を折り曲げ加工して形成したものである。進入防止部材５は、図４のように接続部４５と傾斜部４６を有している。
接続部４５は、内底部１１の上面と接続される部位である。傾斜部４６は、図７のように接続部４５に対して下方向傾斜しており、その傾斜角度αは、５度から４５度となっており、５度から３０度が好ましく、５度から１５度が特に好ましい。
【００３６】
続いて、軸部材２２の構成について説明する。
軸部材２２は、図８のように頭部２３と軸部２４とを有している。
頭部２３は、車輪状となっており、その中心に軸部２４が配されている。頭部２３の材質は、特に限定されるものではないが、固体潤滑性の高い材料によって形成されることが好ましい。そして、頭部２３は、軸部２４を回転軸として、周方向に回転可能となっている。
【００３７】
続いて、各姿勢における受け皿部１の各部材の位置関係、特に本体部２と可動部３の位置関係について、主に図９を参照しながら説明する。
まず、説明の都合上、図１０のような本体部２の挿入空間２０内に可動部３の挿入領域２５が収納され、メダルを貯留可能な姿勢（貯留姿勢）から説明する。
貯留姿勢では、受け皿部１は、図１０のようにスロット壁部１６と本体部２と可動部３によって囲まれた貯留空間４ａを有している。
より詳細には、貯留空間４ａは、図９（ａ）、図１０のように貯留姿勢において、スロット壁部１６と、内底部１１と、内壁部７ａ，７ｂと、皿側面部３９ａ，３９ｂと、皿底部３７と、前壁部２８と、進入防止部材５によって形成されている。
そして、上壁部１５ａ，１５ｂ及び皿側面部３９ａ，３９ｂ、前壁部２８の上面によって、開口１３が形成されている。
【００３８】
また、図１０のように長孔２１に軸部材２２が挿着されており、長孔２１内に軸部材２２の頭部２３が収納されている。そして、頭部２３は、長孔２１の張り出し方向基端側（スロット壁部１６側）位置している。軸部材２２の軸部２４は、可動部３の固定穴３５内に挿入され、係合されている。
【００３９】
可動部３の底壁部３３は、本体部２の外底部１２と接触している。同様に、壁部４０ａは上壁部１５ａ，１５ｂと、壁部４０ｂは外壁部８ａ，８ｂと、壁部４０ｃは内壁部７ａ，７ｂと、にそれぞれ接触している。
また、可動部３の底部３０の下面と本体部２の外底部１２、皿側面部３９ａ，３９ｂの上面と上壁部１５ａ，１５ｂの張り出し側端部の上面、皿側面部３９ａ，３９ｂの外側側面と外壁部８ａ，８ｂの外側側面、皿側面部３９ａ，３９ｂの内側側面と内壁部７ａ，７ｂの内側側面は、それぞれ面一となっている。
【００４０】
進入防止部材５は、図９（ａ）のように本体部２と可動部３の双方に跨がって配されている。進入防止部材５の接続部４５は、本体部２の内底部１１の上面に接着されている。また、進入防止部材５の傾斜部４６の先端は、図７のように可動部３の底部３０の上面にわずかに触れない位置となっている。
ここでいう「わずかに触れない位置」とは、傾斜部４６の先端と底部３０の上面との天地方向の距離ｈが、０より大きく、メダルの厚みの１／２以下の状態をいい、距離ｈが、メダルの厚みの１／５以下であることが好ましく、限りなく０に近いほどより好ましい。
この構成により、例えば、可動部３の水平方向の移動をスムーズにするために本体部２と可動部３の間に大きめの隙間を形成した場合（挿入空間２０を大きめに形成した場合）であっても、進入防止部材５を有するため、挿入空間２０内にメダルが進入することを防止することが可能である。
【００４１】
次に、受け皿部１の可動部３を張り出し方向にスライドさせ、スロット壁部１６から可動部３を離反させる。この時、受け皿部１は、図１１のように可動部３が本体部２に対して張り出し方向に引き出された姿勢（以下、引き出し姿勢ともいう）を取る。
このとき、図１１のように長孔２１に軸部材２２が挿着されており、長孔２１内に軸部材２２の頭部２３が収納されている。そして、頭部２３は、長孔２１の張り出し方向先端側（前壁部２８側）位置している。
【００４２】
そして、この姿勢における貯留空間４ｂは、図９（ｂ）のように貯留姿勢の貯留空間４ａと同様のスロット壁部１６と、内底部１１と、内壁部７ａ，７ｂと、皿側面部３９ａ，３９ｂと、皿底部３７と、前壁部２８、進入防止部材５に加えて、挿入側面部３８ａ，３８ｂの本体部２からの露出部分とによって形成されている。即ち、引き出し姿勢の貯留空間４ｂの貯留可能容量が、貯留姿勢の貯留空間４ａに比べて増加する。
それ故に、貯留姿勢において、メダルが受け皿部１の貯留空間４ａの限度近くまで満たされ、メダルは受け皿部１に隙間無く満たされた状態となっていたとしても、引き出し姿勢にすることによる貯留空間４ｂの貯留容量の増加により、緻密に積み上げられたメダルが、崩れ落ちる（図１３（ａ）から図１３（ｂ））。それに伴い、密集していたメダル間に指先が入るスペースが形成される。強引にメダルをすくい上げる必要がなく、メダルを貯留箱に移動させ易い。
また、前壁部２８が遊技者の近い位置に位置するため、例え小柄な遊技者であっても、貯留空間４の状況が見えやすく、遊技者の体勢を崩すことなく、移し替えることが可能である。
【００４３】
また、この姿勢における開口１３ｂは、貯留姿勢の開口１３ａと同様の、上壁部１５ａ，１５ｂ及び皿側面部３９ａ，３９ｂ、前壁部２８の上面に加えて、挿入側面部３８ａ，３８ｂの上面の本体部２からの露出部分とによって形成されている。即ち、引き出し姿勢の開口１３ｂの開口面積が、貯留姿勢の開口１３ａに比べて増加する。
【００４４】
また、上述したように従来のスロット機では、大柄の遊技者が、貯留空間４に手を入れる際には、貯留空間４の開口面積が小さく、貯留空間４の上方に位置するスロット本体１１０のパネル部１１２と接触し、取り出しにくいという不具合があった。一方、本発明のスロット機１００では、図１３（ａ）、図１３（ｂ）のように引き出し姿勢におけるスロット本体１１０のパネル部１１２の下端部と前壁部２８の上面との距離Ｌ１は、貯留姿勢におけるパネル部１１２の下端部と前壁部２８の上面との距離Ｌ２に比べて大きい。それ故に、例え大柄の遊技者が受け皿部１からメダル取り出す場合であっても、本体部２の上方に位置するスロット本体１１０のパネル部１１２と接触しにくく、メダルを取り出しやすい。
【００４５】
次に、図１２、図１３（ｃ）のように受け皿部１の変形部３２の内側面にメダルを押しつけ、変形部３２を変形させる。この時、変形部３２は、図９（ｃ）のような変形部３２の弾性限度内で折り曲げられた姿勢（以下、折り曲げ姿勢ともいう）を取る。
この時、図１２のように長孔２１の張り出し方向先端側の内壁によって、軸部材２２の張り出し方向の移動が規制される。それ故に、本体部２から可動部３が逸脱しない。即ち、変形部３２に遊技者のメダルを押しつける力が伝わる。それ故に、図１３（ｃ）のように遊技者がメダルを貯留空間４ｃから貯留箱に移し替える際に、メダルを変形部３２に押しつけながらすくい上げることによって、変形部３２が弾性限度内で変形し、ケトルのようなメダル導入路が形成され、メダルがこぼれ落ちることなく、貯留箱に移し替えることが可能である。
【００４６】
上記した実施形態では、前壁部２８全体に変形部３２を設けたが、本発明はこれに限定されるものではなく、図１４のように一部のみに変形部３２を設けても良い。例えば、図１４のように一部のみに変形部３２を設ける場合、前壁部２８の幅方向Ｘ中央位置に設けることが好ましい。
【００４７】
上記した実施形態では、内底部１１上に進入防止部材５を載置し固定したが、本発明はこれに限定されるものではなく、図１５（ａ）のように進入防止部材５を内底部１１に嵌め込んで固定してもよい。即ち、内底部１１の上面と進入防止部材５の接続部４５の上面を面一にしてもよい。
【００４８】
上記した実施形態では、内底部１１の一部に進入防止部材５の接続部４５を載置し固定したが、本発明はこれに限定されるものではなく、図１５（ｂ）のように内底部１１の全面に進入防止部材５の接続部４５を載置してもよい。
【符号の説明】
【００４９】
１  受け皿部
２  本体部
３  可動部
４  貯留空間
５  進入防止部材
１６  スロット壁部
２１  長孔（ガイド部）
２２  軸部材
２８  前壁部
３１  側面部
３２  変形部
１００  スロット機
１１０  スロット本体
【図１】
0005855385.tif 000002
【図２】
0005855385.tif 000003
【図３】
0005855385.tif 000004
【図４】
0005855385.tif 000005
【図５】
0005855385.tif 000006
【図６】
0005855385.tif 000007
【図７】
0005855385.tif 000008
【図８】
0005855385.tif 000009
【図９】
0005855385.tif 000010
【図１０】
0005855385.tif 000011
【図１１】
0005855385.tif 000012
【図１２】
0005855385.tif 000013
【図１３】
0005855385.tif 000014
【図１４】
0005855385.tif 000015
【図１５】
0005855385.tif 000016